【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
被写体像の焦点調節を行うフォーカスレンズと、前記フォーカスレンズを駆動する駆動手段と、前記フォーカスレンズにより結像された被写体像を画像信号として出力する撮像手段と、前記駆動手段によって移動される前記フォーカスレンズの位置毎に、前記撮像手段から出力される画像信号から前記被写体像のコントラスト成分を抽出し、該抽出されたコントラスト成分に応じた評価値を算出する評価値算出手段と、前記フォーカスレンズの位置毎に算出された評価値に基づいて前記フォーカスレンズの焦点位置を調節する自動焦点調整手段とを備える撮像装置であって、
前記自動焦点調整手段は、前記フォーカスレンズを第１の間隔で移動させ、該フォーカスレンズの位置毎に得られる評価値に基づいて第１の合焦位置を検出する第１の合焦位置検出手段と、前記検出された第１の合焦位置の近傍を、前記フォーカスレンズを前記第１の間隔より狭い第２の間隔で移動させ、該フォーカスレンズの位置毎に得られる評価値に基づいて第２の合焦位置を検出する第２の合焦位置検出手段とを有し、
前記自動焦点調整手段は、前記第２の合焦位置検出手段により前記第２の合焦位置が検出された場合は、該第２の合焦位置に前記フォーカスレンズを移動し、前記第１の合焦位置検出手段により前記第１の合焦位置が検出されたが前記第２の合焦位置検出手段により前記第２の合焦位置が検出されなかった場合は、前記第１の合焦位置に前記フォーカスレンズを移動し、前記第１の合焦位置検出手段による前記第１の合焦位置および前記第２の合焦位置検出手段による前記第２の合焦位置がともに検出されなかった場合は、前記フォーカスレンズを特定の被写体距離に対応する位置に移動することを特徴とする撮像装置。
【請求項２】
前記特定の被写体距離とは、過焦点距離であることを特徴とする請求項１記載の撮像装置。
【請求項３】
被写体像の焦点調節を行うフォーカスレンズと、前記フォーカスレンズを駆動する駆動手段と、前記フォーカスレンズにより結像された被写体像を画像信号として出力する撮像手段と、前記駆動手段によって移動される前記フォーカスレンズの位置毎に、前記撮像手段から出力される画像信号から前記被写体像のコントラスト成分を抽出し、該抽出されたコントラスト成分に応じた評価値を算出する評価値算出手段と、前記フォーカスレンズの位置毎に算出された評価値に基づいて前記フォーカスレンズの焦点位置を調節する自動焦点調整手段とを備える撮像装置の制御方法であって、
前記フォーカスレンズを第１の間隔で移動させ、該フォーカスレンズの位置毎に得られる評価値に基づいて第１の合焦位置を検出する第１の合焦位置検出工程と、
前記検出された第１の合焦位置の近傍を、前記フォーカスレンズを前記第１の間隔より狭い第２の間隔で移動させ、該フォーカスレンズの位置毎に得られる評価値に基づいて第２の合焦位置を検出する第２の合焦検出位置工程と、
前記第１の合焦位置検出工程および前記第２の合焦位置検出工程の検出結果に応じて前記フォーカスレンズを移動する位置を決定する最終合焦位置決定工程とを有し、
前記最終合焦位置決定工程では、前記第２の合焦位置検出工程により前記第２の合焦位置が検出された場合は、該第２の合焦位置に前記フォーカスレンズを移動し、前記第１の合焦位置検出工程により前記第１の合焦位置が検出されたが前記第２の合焦位置検出工程により前記第２の合焦位置が検出されなかった場合は、前記第１の合焦位置に前記フォーカスレンズを移動し、前記第１の合焦位置検出工程での前記第１の合焦位置および前記第２の合焦位置検出工程での前記第２の合焦位置がともに検出されなかった場合は、前記フォーカスレンズを特定の被写体距離に対応する位置に移動することを特徴とする撮像装置の制御方法。
【請求項４】
前記特定の被写体距離とは、過焦点距離であることを特徴とする請求項３記載の撮像装置の制御方法。
【請求項５】
フォーカスレンズを介して入射された被写体像に対応して画像信号を出力する撮像手段を有し、前記フォーカスレンズの移動に対し焦点調節のために画像信号から評価値を少なくとも２つの抽出タイミングで抽出する撮像装置であって、
前記フォーカスレンズの移動に対し第１のタイミングで評価値を抽出し、前記第１のタイミングで抽出した評価値に基づいて第１のタイミングよりも密な第２のタイミングで評価値を抽出する評価値取得手段と、
前記第２のタイミングで評価値を抽出した場合でも、前記第１のタイミングで抽出した評価値に基づいて前記フォーカスレンズを移動させる制御手段と
を備えることを特徴とする撮像装置。
【請求項６】
フォーカスレンズを介して入射された被写体像に対応して画像信号を出力する撮像手段を有し、前記フォーカスレンズの移動に対し焦点調節のために画像信号から評価値を少なくとも２つの抽出タイミングで抽出する撮像装置の制御方法であって、
前記フォーカスレンズの移動に対し第１のタイミングで評価値を抽出し、前記第１のタイミングで抽出した評価値に基づいて第１のタイミングよりも密な第２のタイミングで評価値を抽出する評価値取得工程と、
前記第２のタイミングで評価値を抽出した場合でも、前記第１のタイミングで抽出した評価値に基づいて前記フォーカスレンズを移動させる制御工程と
を備えることを特徴とする撮像装置の制御方法。
【請求項７】
フォーカスレンズを介して入射された被写体像に対応して画像信号を出力する撮像手段を有し、前記フォーカスレンズの移動に対し焦点調節のために画像信号から評価値を少なくとも２つの抽出タイミングで抽出する撮像装置の制御プログラムであって、
前記フォーカスレンズの移動に対し第１のタイミングで評価値を抽出し、前記第１のタイミングで抽出した評価値に基づいて第１のタイミングよりも密な第２のタイミングで評価値を抽出する評価値取得ステップと、
前記第２のタイミングで評価値を抽出した場合でも、前記第１のタイミングで抽出した評価値に基づいて前記フォーカスレンズを移動させる制御ステップと
をコンピュータにより実行させることを特徴とする撮像装置の制御プログラム。
【請求項８】
請求項７記載の制御プログラムをコンピュータ読み取り可能に格納したことを特徴とする記憶媒体。
【手続補正２】
【補正対象書類名】明細書
【補正対象項目名】０００８
【補正方法】変更
【補正の内容】
【０００８】
本発明は、上記目的を達成するため、被写体像の焦点調節を行うフォーカスレンズと、前記フォーカスレンズを駆動する駆動手段と、前記フォーカスレンズにより結像された被写体像を画像信号として出力する撮像手段と、前記駆動手段によって移動される前記フォーカスレンズの位置毎に、前記撮像手段から出力される画像信号から前記被写体像のコントラスト成分を抽出し、該抽出されたコントラスト成分に応じた評価値を算出する評価値算出手段と、前記フォーカスレンズの位置毎に算出された評価値に基づいて前記フォーカスレンズの焦点位置を調節する自動焦点調整手段とを備える撮像装置であって、前記自動焦点調整手段は、前記フォーカスレンズを第１の間隔で移動させ、該フォーカスレンズの位置毎に得られる評価値に基づいて第１の合焦位置を検出する第１の合焦位置検出手段と、前記検出された第１の合焦位置の近傍を、前記フォーカスレンズを前記第１の間隔より狭い第２の間隔で移動させ、該フォーカスレンズの位置毎に得られる評価値に基づいて第２の合焦位置を検出する第２の合焦位置検出手段とを有し、前記自動焦点調整手段は、前記第２の合焦位置検出手段により前記第２の合焦位置が検出された場合は、該第２の合焦位置に前記フォーカスレンズを移動し、前記第１の合焦位置検出手段により前記第１の合焦位置が検出されたが前記第２の合焦位置検出手段により前記第２の合焦位置が検出されなかった場合は、前記第１の合焦位置に前記フォーカスレンズを移動し、前記第１の合焦位置検出手段による前記第１の合焦位置および前記第２の合焦位置検出手段による前記第２の合焦位置がともに検出されなかった場合は、前記フォーカスレンズを特定の被写体距離に対応する位置に移動することを特徴とする撮像装置を提供する。
【手続補正３】
【補正対象書類名】明細書
【補正対象項目名】０００９
【補正方法】変更
【補正の内容】
【０００９】
本発明は、上記目的を達成するため、被写体像の焦点調節を行うフォーカスレンズと、前記フォーカスレンズを駆動する駆動手段と、前記フォーカスレンズにより結像された被写体像を画像信号として出力する撮像手段と、前記駆動手段によって移動される前記フォーカスレンズの位置毎に、前記撮像手段から出力される画像信号から前記被写体像のコントラスト成分を抽出し、該抽出されたコントラスト成分に応じた評価値を算出する評価値算出手段と、前記フォーカスレンズの位置毎に算出された評価値に基づいて前記フォーカスレンズの焦点位置を調節する自動焦点調整手段とを備える撮像装置の制御方法であって、前記フォーカスレンズを第１の間隔で移動させ、該フォーカスレンズの位置毎に得られる評価値に基づいて第１の合焦位置を検出する第１の合焦位置検出工程と、前記検出された第１の合焦位置の近傍を、前記フォーカスレンズを前記第１の間隔より狭い第２の間隔で移動させ、該フォーカスレンズの位置毎に得られる評価値に基づいて第２の合焦位置を検出する第２の合焦検出位置工程と、前記第１の合焦位置検出工程および前記第２の合焦位置検出工程の検出結果に応じて前記フォーカスレンズを移動する位置を決定する最終合焦位置決定工程とを有し、前記最終合焦位置決定工程では、前記第２の合焦位置検出工程により前記第２の合焦位置が検出された場合は、該第２の合焦位置に前記フォーカスレンズを移動し、前記第１の合焦位置検出工程により前記第１の合焦位置が検出されたが前記第２の合焦位置検出工程により前記第２の合焦位置が検出されなかった場合は、前記第１の合焦位置に前記フォーカスレンズを移動し、前記第１の合焦位置検出工程での前記第１の合焦位置および前記第２の合焦位置検出工程での前記第２の合焦位置がともに検出されなかった場合は、前記フォーカスレンズを特定の被写体距離に対応する位置に移動することを特徴とする撮像装置の制御方法を提供する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１４
【補正方法】変更
【補正の内容】
【００１４】
本発明は、上記目的を達成するため、フォーカスレンズを介して入射された被写体像に対応して画像信号を出力する撮像手段を有し、前記フォーカスレンズの移動に対し焦点調節のために画像信号から評価値を少なくとも２つの抽出タイミングで抽出する撮像装置の制御プログラムであって、前記フォーカスレンズの移動に対し第１のタイミングで評価値を抽出し、前記第１のタイミングで抽出した評価値に基づいて第１のタイミングよりも密な第２のタイミングで評価値を抽出する評価値取得ステップと、前記第２のタイミングで評価値を抽出した場合でも、前記第１のタイミングで抽出した評価値に基づいて前記フォーカスレンズを移動させる制御ステップとをコンピュータにより実行させることを特徴とする撮像装置の制御プログラムを提供する。